(57)【要約】【課題】照明装置から受信される受信信号の強度（ＲＳＳＩ）及び予め定めた照明モードのうち、少なくとも一つによって照明装置を制御する装置及び方法を提供すること。【解決手段】受信されたＲＳＳＩに応じて照明装置の明るさ及び／又は色温度をユーザの好みによって複数のレベルに自動調節が可能であり、ＲＳＳＩを利用した照明装置のスイッチアプリケーションが動作してユーザが容易に制御するようにし、ＲＳＳＩ信号強度に応じて照明装置がオン／オフされ、及び／又は明るさが制御される。【選択図】図１
2014225471.tif 000002
【特許請求の範囲】
【請求項１】
照明装置から受信される受信信号の強度（以下、ＲＳＳＩとする）に対応する前記照明装置の色温度及び明るさレベル情報のうち、少なくとも一つの照明制御情報が記憶された記憶部と、
前記照明装置の制御のための信号が送信される通信部と、
前記照明装置から受信されるＲＳＳＩに対応する照明制御情報が出力される表示部と、
前記照明装置から受信されるＲＳＳＩと、それに対応して記憶される前記照明装置の色温度及び明るさレベル情報のうち、少なくとも一つの照明制御情報とによって前記照明装置を制御する制御部と
を備える照明装置を制御する装置。
【請求項２】
前記表示部には、前記照明装置から受信されるＲＳＳＩに応じて、前記照明装置の色温度及び明るさのうち、少なくとも一つを含むユーザインタフェース（以下、ＵＩとする）が出力されることを特徴とする、請求項１に記載の照明装置を制御する装置。
【請求項３】
前記記憶部には、前記照明装置から受信されるＲＳＳＩに応じて、前記照明制御情報が含まれるＵＩを出力するスイッチアプリケーションが記憶されることを特徴とする、請求項１に記載の照明装置を制御する装置。
【請求項４】
前記表示部には、前記照明装置から受信されるＲＳＳＩを比較した結果、前記ＲＳＳＩが最も大きい照明装置を制御するためのＵＩが出力されることを特徴とする、請求項２に記載の照明装置を制御する装置。
【請求項５】
前記表示部には、前記照明装置から受信されるＲＳＳＩを比較した結果、前記ＲＳＳＩが予め定めた大きさ以上である照明装置を制御するためのＵＩが出力されることを特徴とする、請求項２に記載の照明装置を制御する装置。
【請求項６】
前記表示部には、前記照明装置から受信されるＲＳＳＩを比較した結果、前記ＲＳＳＩが最も大きい照明装置のＵＩが主画面として出力され、前記ＲＳＳＩが予め定めた大きさ以上の照明装置のＵＩが副画面として出力されることを特徴とする、請求項４又は５に記載の照明装置を制御する装置。
【請求項７】
前記照明装置から受信されるＲＳＳＩに応じて、前記照明装置の色温度及び明るさのうち、少なくとも一つが前記制御部によって自動制御されることを特徴とする、請求項１に記載の照明装置を制御する装置。
【請求項８】
前記照明装置から受信されるＲＳＳＩと、それに対応して記憶されて出力される前記照明装置の色温度及び明るさのうち、少なくとも一つとが手動制御されることを特徴とする、請求項１に記載の照明装置を制御する装置。
【請求項９】
前記照明装置から受信されるＲＳＳＩに応じて前記照明制御情報が変化するように制御することを特徴とする、請求項１に記載の照明装置を制御する装置。
【請求項１０】
前記照明装置から受信されるＲＳＳＩに応じて、前記制御部が前記照明装置をオン／オフ制御することを特徴とする、請求項７に記載の照明装置を制御する装置。
【請求項１１】
照明制御装置に信号を出力し、前記出力された信号の大きさに対応する別個の信号強度に応じて照明制御装置から別個の照明制御信号を受信する通信部と、
制御される照明制御情報が記憶されている記憶部と、
前記照明制御装置から受信される別個の照明制御信号によって照明装置を制御する制御部と
を備える照明装置。
【請求項１２】
前記受信される別個の照明制御信号は、前記照明装置のオン／オフ制御及び制御される照明装置の照明制御レベルの大きさを次第に増加／減少させる制御のうち、少なくとも一つを示すことを特徴とする、請求項１１に記載の照明装置。
【発明の詳細な説明】
【技術分野】
【０００１】
実施形態は、照明装置から受信される受信信号の強度（ＲＳＳＩ）及び予め定めた照明モードのうち、少なくとも一つによって照明装置を制御することに関する。
【背景技術】
【０００２】
通常の照明装置制御は、電源スイッチと照明装置とが有線で一対一に接続されているため、所望の照明装置のスイッチを知らないと照明装置を制御することができなかった。
【０００３】
また、ユーザの判断によって、各照明装置の色温度及び／又は明るさを手動で制御しなければならなかった。
【０００４】
また、外出するとき、又は家に帰ったとき、ユーザが各照明装置を直接オフ（ＯＦＦ）／オン（ＯＮ）する。
【０００５】
しかしながら、上記のような制御方法は、いちいちユーザが操作しなければならないため、使用上の不便さが伴う。
【０００６】
一方、最近の親環境／低炭素及び省エネルギーの一環として、ＬＥＤ照明に対する社会的／国家的ニーズが急激に増加している。しかしながら、その効率性又は技術的長所にもかかわらず、高い価格と、既存の照明装置に比べたときの価格的な課題を乗り越える技術的差別化の限界とのため、広く使用されないことも現実的な問題として台頭している。
【発明の概要】
【課題を解決するための手段】
【０００７】
実施形態は、照明装置から受信される受信信号の強度指示（Ｒｅｃｅｉｖｅｄ  Ｓｉｇｎａｌ  Ｓｔｒｅｎｇｔｈ  Ｉｎｄｉｃａｔｉｏｎ、以下、ＲＳＳＩとする）によって照明装置を効果的に制御することを提案する。
【０００８】
実施形態は、ＲＳＳＩに応じて複数のレベルで照明装置の明るさ及び／又は色温度を制御することを提案する。
【０００９】
例えば、照明制御装置の一種であるスマートホンのアプリケーションソフトウェアに、ＲＳＳＩに応じて照明装置の色制御信号、色温度信号、明るさ信号が変わるように設定して、ユーザの好みによる感性照明の制御を具現することを提案する。
【００１０】
また、照明制御装置を有するユーザが照明装置の設置された所に入室する場合、照明装置が自動的にオン（ＯＮ）になるように制御され、照明装置に近づくか、又は遠ざかる場合に、明るさ／色温度のレベルが高くなるか、又は低くなるように制御でき、また、退室する場合に照明装置が消える感性照明制御を可能にする。
【００１１】
実施形態は、複数の無線照明装置が設置されている場合に、ＲＳＳＩに応じた最も近い距離（信号強度が最も大きいＲＳＳＩ）にある照明装置のスイッチアプリケーションが動作して、照明制御情報が出力されるユーザインタフェース（以下、ＵＩとする）を照明制御装置の一種であるスマートホンの表示部に表示して、ユーザが容易に照明装置を制御することを提案する。
【００１２】
実施形態は、照明装置から受信されるＲＳＳＩに応じて、制御される照明装置のスイッチアプリケーションが照明制御装置の表示部に出力される一つの例として、受信信号の強度が最も大きい照明装置のスイッチアプリケーション（ＵＩ）が主画面として出力され、受信信号の強度が予め定めた大きさ以上の照明装置のスイッチアプリケーション（ＵＩ）は、副画面として出力されることを提案する。もちろん、同じサイズでも出力できる。
【００１３】
実施形態は、照明装置からＲＳＳＩが受信される場合、照明装置がオンになるように制御される。また、ＲＳＳＩに応じて明るさが変わるように設定することを提案する。
【００１４】
例えば、屋内の照明装置の明るさレベルが、外出時には自動的に次第に低くなり、入室時には次第に高くなることを提案する。
【００１５】
また、実施形態では、ＲＳＳＩに応じて明るさ／色温度が変化することを提案する。例えば、ＲＳＳＩが大きくなるほど、明るさ／色温度のレベルが次第に高くなり、ＲＳＳＩが小さくなるほど、明るさ／色温度のレベルが次第に低くなることを提案する。
【００１６】
実施形態は、予め定めた大きさ以上のＲＳＳＩに対してだけ照明装置が制御されるように設定するか、又は予め定めたＲＳＳＩに関係なく受信されたＲＳＳＩを比較して、大きさに応じて照明装置が制御されるように設定できる。
【００１７】
実施形態は、照明装置の照明制御情報のうち、少なくとも明るさ及び／又は色温度に応じた多様な照明制御モードを予め設定及びアイコンで表して、制御の利便性を提供する。
【００１８】
実施形態に係る照明制御装置は、照明装置から受信されるＲＳＳＩに対応する照明装置の色温度及び明るさレベル情報のうち、少なくとも一つの照明制御情報が記憶された記憶部と、照明装置の制御のための信号が送信される通信部と、照明装置から受信されたＲＳＳＩに対応する照明制御情報が出力される表示部と、照明装置から受信されたＲＳＳＩと、それに対応して記憶された照明装置の色温度及び明るさレベル情報のうち、少なくとも一つの照明制御情報とによって照明装置を制御する制御部と、を備えて動作する。
【００１９】
実施形態に係る照明制御装置は、照明制御装置に信号を出力し、出力された信号の大きさに対応する信号強度に応じて照明制御装置から別個の照明制御信号を受信する通信部と、制御される照明制御情報が記憶されている記憶部と、照明制御装置から受信された別個の照明制御信号によって照明装置を制御する制御部とを備えて動作する。
【００２０】
実施形態に係る照明制御装置は、照明制御装置及び照明装置の電源がオンになるステップと、照明装置を制御するための照明制御装置の照明制御モードが選択されるステップと、照明装置から受信された信号のＲＳＳＩが確認されるステップと、受信されたＲＳＳＩとそれに対応して記憶された照明装置の照明制御情報が確認されるステップと、確認された結果によって、照明装置の色温度及び明るさのうち、少なくとも一つの照明制御情報が制御されるステップと、を含んで動作する。
【００２１】
実施形態に係る照明制御方法は、照明制御装置及び照明装置の電源がオンになるステップと、照明装置を制御する照明制御モードが選択されるステップと、照明装置から受信された信号のＲＳＳＩに応じて制御される照明装置が選択されるステップと、選択された照明装置の照明制御情報が表示部に出力されるステップとを含んで動作する。
【００２２】
実施形態に係る照明制御方法は、照明制御情報である色温度及び明るさのうち、少なくとも一つの情報による複数の照明制御モードが設定されて記憶されるステップと、照明制御装置において照明制御モードが選択されるステップと、選択によって設定／記憶された照明制御モードが表示されるステップと、表示される照明制御モードのうち予め定めたモード及び選択されたモードのうちの何れか一つによって照明装置が制御されるステップとを含んで動作する。
【００２３】
実施形態は、照明装置から受信されるＲＳＳＩに応じて照明装置の色温度及び／又は明るさが制御され、また制御される照明装置が表示されるようにして、照明装置を効果的に制御できる。
【００２４】
実施形態は、ＲＳＳＩに応じて複数のレベルで照明装置の明るさ及び色温度を制御することによって、ユーザの好みによって照明装置を多様に制御して使用することができる。
【００２５】
実施形態は、複数の無線照明装置が設置されている場合、ＲＳＳＩに応じて最も近い距離（信号強度が最も大きいＲＳＳＩ）の照明装置のスイッチアプリケーションによるＵＩが制御装置の一種であるスマートホンの表示部に表示されて、ユーザが容易に照明装置を制御できる。
【００２６】
実施形態は、照明装置から受信されるＲＳＳＩに応じて、制御される照明装置のスイッチアプリケーションによるＵＩが照明制御装置の表示部に出力されるとき、受信信号の強度が最も大きい照明装置のスイッチアプリケーションによるＵＩが主画面として出力され、受信信号の強度が予め定めた大きさ以上の照明装置のスイッチアプリケーションによるＵＩが副画面として出力されることによって、ユーザが容易に複数の照明装置を制御できる。
【００２７】
実施形態は、ＲＳＳＩに応じて屋内の照明装置の明るさレベルが外出時には自動的に低くなり、入室時には高くなるように制御できる。例えば、ＲＳＳＩが大きくなるほど、色温度／明るさレベルが次第に高くなり（明るくなり）、ＲＳＳＩが小さくなるほど、色温度／明るさレベルが次第に低く（暗く）なるように設定できる。
【００２８】
また、実施形態は、ＲＳＳＩに応じて屋内の照明装置の明るさが外出時には自動的にオフになり、入室時にはオンになるように制御することもでき、また、ＲＳＳＩが大きくなるほど、明るさレベルが次第に高くなり（明るくなり）、ＲＳＳＩが小さくなるほど、明るさレベルが次第に低く（暗く）なるように設定できる。
【００２９】
また、実施形態は、照明装置の照明制御情報のうち、少なくとも明るさ及び／又は色温度による多様な照明モードを予め設定しアイコンで表して、制御の利便性を提供できる。
【図面の簡単な説明】
【００３０】
【図１】実施形態に係る一般的な照明システムを示したブロック図である。
【図２Ａ】照明システムを構成する照明制御装置及び照明装置の構成を示したブロック図である。
【図２Ｂ】照明システムを構成する照明制御装置及び照明装置の構成を示したブロック図である。
【図３】照明制御装置のうちスマートホンがＲＳＳＩに応じて照明装置を制御する過程を示した図である。
【図４】照明制御装置のユーザインタフェース（ＵＩ）を示した図である。
【図５Ａ】照明装置と照明制御装置との距離に応じて受信されるＲＳＳＩが変わることを示す実施形態の図である。
【図５Ｂ】照明装置と照明制御装置との距離に応じて受信されるＲＳＳＩが変わることを示す実施形態の図である。
【図５Ｃ】照明装置と照明制御装置との距離に応じて受信されるＲＳＳＩが変わることを示す実施形態の図である。
【図６】受信ＲＳＳＩに応じて近い距離の照明装置のスイッチアプリケーションによってＵＩが照明制御装置に表示され、それによって色温度及び／又は明るさレベルなどが制御可能なことを示した図である。
【図７】複数の照明装置が設置され、又は動作中である場所において、ＲＳＳＩが予め定めた大きさ以上の照明装置だけのＵＩが照明制御装置に出力されるようにして、制御の利便性を具現するか、又は設定に応じて予め定めたＲＳＳＩ信号強度の照明装置が自動的にオンになるか、若しくは前記強度に応じて照明装置の明るさ及び／又は色温度が変化することを示した図である。
【図８】一つ以上の制御される照明装置の照明制御情報が、照明制御装置のスイッチアプリケーションによるＵＩに出力されることを示した図である。
【図９】受信されたＲＳＳＩに応じて照明装置が制御されることを示した図である。
【図１０】照明装置を制御する照明制御装置に予め設定した照明モードが表示されるＵＩ画面を示す他の実施形態の図である。
【図１１】予め設定した照明モードのうち「歓迎」モードが選択された場合における色温度／明るさが表現されるＵＩ画面である。
【図１２】予め設定した照明モードのうち「活動」モードが選択された場合における色温度／明るさが表現されるＵＩ画面である。
【図１３】予め設定した照明モードのうち「集中」モードが選択された場合における色温度／明るさが表現されるＵＩ画面である。
【図１４】予め設定した照明モードのうち「くつろぎ」モードが選択された場合における色温度／明るさが少なくとも一つ以上調節された状態が表現されるＵＩ画面である。
【図１５】各々の照明モードをＵＩ画面で示し、ユーザの選択に応じて照明モードを選択し制御することを示すフローチャートである。
【発明を実施するための形態】
【００３１】
以下、添付された図面を参照して、本発明の実施形態に係る照明制御装置及び方法を説明する。
【００３２】
まず、本発明の実施形態において使用される用語は、可能な限り現在広く使用される一般的な用語を選択したが、特定の場合は、出願人が適宜に選定した用語もある。これは該当する実施形態の説明部分において詳細にその動作及び意味を記載したためであり、単純な用語の文言ではなく、用語が表す動作／意味として本実施形態を把握しなければならないことに留意されたい。
【００３３】
実施形態の説明において、照明装置は、ＬＥＤ、一般照明装置、又は他の照明装置、蛍光灯、白熱灯、ダウンライト、ハロゲン灯などを含む装置である。
【００３４】
また、実施形態の説明において、照明装置内の通信部に構成される通信モジュールの方式としてＺｉｇＢｅｅ（登録商標）やＢｌｕｅｔｏｏｔｈ（登録商標）を例に挙げて説明したが、これに限定されずに、ＷｉＦｉ、ＮＦＣ等の他の通信方式も採用できる。
【００３５】
また、実施形態の説明において、各構成間に連結、接続又は接触されたということは、直接接続している場合だけでなく、その中間に他の構成、他の媒体又は他の素子などを媒介して機構的接続、電気的接続又は有線／無線接続した場合も含まれる。
【００３６】
また、実施形態の説明において、照明装置の制御対象情報として色温度及び／又は明るさを主に説明しているが、これは一つの例に過ぎず、他の制御情報、例えば色制御信号など、他の制御情報も含むことができる。
【００３７】
また、実施形態の説明において、スイッチアプリケーションの動作によってＵＩ画面が出力される。実施形態においてスイッチアプリケーションが出力されるということは、スイッチアプリケーションの動作によってＵＩ画面が出力されることと理解できる。したがって、スイッチアプリケーションが出力されるという表現には、ＵＩ画面の出力を含む。
【００３８】
また、スイッチアプリケーションの動作によって、ＵＩを含んだ照明装置を制御する情報を出力することができる。
【００３９】
まず、本発明の実施形態に対する概括的な説明は次のとおりである。
【００４０】
ＲＳＳＩに応じて複数のレベルで照明装置の明るさ及び／又は色温度を設定して、ユーザの好みに応じて調節が可能なようにする。
【００４１】
また、照明制御装置を有したユーザが照明装置のある所に入室する場合、予め定めたＲＳＳＩに応じて照明装置が自動的にオンになり、照明装置に近づくか、又は遠ざかる場合に、明るさ／色温度のレベルが高くなるか、又は低くなるようにする感性照明制御を可能にする。
【００４２】
また、無線照明制御システムを揃えた環境において、複数の照明を制御する状態でＵＩの改善及び便宜を提供する。
【００４３】
例えば、照明制御装置の一つとしてスマートホンを利用した無線照明制御のようなホーム環境が構築された環境においては、ユーザは、無線照明制御を含む複数の無線制御アプリケーションを使用するために、スマートホン内の該当制御プログラムをいちいち探索して制御権を持って来なければならないという不便さを解消するために、ＲＳＳＩに応じて照明装置を制御しようとするであろう。すなわち、複数の無線照明装置が設置されている場合、照明制御装置であるスマートホンに、ＲＳＳＩに応じて判断された最も近い距離の照明装置のスイッチアプリケーションによるＵＩを表示して、ユーザの制御利便性を確保し、予め設定された信号強度の際、照明装置がオンになって明るさ／色温度が変わるように設定することもできる。
【００４４】
上述の近い距離とは、家庭又はビル内に複数の無線照明装置が設置されている場合、ユーザが位置した位置に近い距離にある照明装置のスイッチアプリケーションが表示されうるように、便宜機能を提供できる距離を含む。一般に、ユーザは、照明制御装置の一種であるスマートホンを携帯した状態であり、スマートホンでは、照明装置の信号強度に対する予め定めたテーブル情報を有している。
【００４５】
また、制御される照明制御情報のうち少なくとも明るさ及び／又は色温度による多様な照明モードを予め設定しアイコンで表して、制御の利便性を提供できる。
【００４６】
以下、図１は、実施形態に係る一般的な照明システムを示したブロック図である。
【００４７】
図１に示すように、無線制御方式によって照明装置を制御するためにユーザ命令を入力するための入力手段（図示せず）を備える照明制御装置１０１と、照明部（ＬＥＤ、他の照明装置等）（図示せず）及び信号受信手段（図示せず）を有する照明装置１１１とにおいて、照明装置は、照明制御装置からユーザ制御命令を無線で受信することができる。
【００４８】
一方、照明装置１１１の制御は、上記のような無線でない別途の有線でも直接制御できる。
【００４９】
すなわち、図１に示したように、照明装置を直接制御するための主装置１２１が構成され、主装置には、照明装置をオン（ＯＮ）／オフ（ＯＦＦ）制御するための電源スイッチ１２２が構成されている。電源スイッチは、照明装置に有線で接続され、一般に壁についているスイッチである。
【００５０】
一方、本発明の実施形態では、無線による照明制御方式を説明する。
【００５１】
図１の実施形態では、多様な無線（ＲＦ）通信方式、例えばＺｉｇＢｅｅ（登録商標）、ＷｉＦｉ、Ｂｌｕｅｔｏｏｔｈ（登録商標）などによって動作可能であり、ユーザが選択又は機器間の通信を介して選択された無線方式によって動作される。
【００５２】
図２Ａ／図２Ｂは、照明システムを構成する照明制御装置１０１及び照明装置１１１の構成を示したブロック図である。
【００５３】
まず、図２Ａに示したように、照明制御装置１０１は、次の構成を備える。
【００５４】
電源部２０３と、ユーザ命令を入力するための入力部２０６と、照明装置１１１を制御するためのスイッチアプリケーションによるＵＩが出力される表示部２０７と、通信方式によって照明装置を制御するための信号が送信される通信部２０５と、照明装置から受信されるＲＳＳＩに応じて制御される照明装置情報と、受信信号の強度に応じて制御される照明装置の特性のうち色温度及び明るさ情報のうち、少なくとも一つの情報とが記憶された記憶部２０４と、照明装置から受信されたＲＳＳＩと、それに対応して記憶された照明装置の色温度情報及び明るさ制御情報のうち、少なくとも一つの情報とによって照明装置を制御する制御部２０２と、を備えて動作する。
【００５５】
照明制御装置の記憶部には、照明装置から受信されるＲＳＳＩに応じて照明制御情報を出力するためのスイッチアプリケーションが記憶される。
【００５６】
照明制御装置の表示部２０７には、照明装置１１１から受信されるＲＳＳＩに応じて、図４に示したように、照明装置の色温度４０１及び明るさ４０３のうち、少なくとも一つを制御できるＵＩ４００が出力される。
【００５７】
また、照明制御装置の表示部２０７には、図２Ｂの照明装置から受信されるＲＳＳＩに応じて、図８に示したように、一つ以上の制御される照明装置に対するＵＩが照明制御装置の表示部に出力されるようにして、ユーザが容易に制御するようにする。
【００５８】
照明制御装置の表示部には、照明装置から受信されるＲＳＳＩを比較した結果、受信信号の強度が最も大きい照明装置のＵＩ８０１が出力されることが通常であるが、これに限定されるものではなく、図８に示したように、スイッチアプリケーションによって複数のＵＩ８０２、８０３、８０４が表示部に出力されるように設定できる。
【００５９】
また、一般に受信信号の強度が予め定めた大きさ以上である照明装置のＵＩが出力されることが通常であるが、これに限定されるものではなく、ＲＳＳＩが受信されるすべての照明装置を出力することもできる。
【００６０】
照明制御装置の表示部には、照明装置から受信されるＲＳＳＩを比較した結果、図８に示したように、受信信号の強度が最も大きい照明装置のスイッチアプリケーションが主画面として出力され、受信信号の強度が予め定めた大きさ以上の照明装置のスイッチアプリケーションは、副画面として出力されるように設定できる。
【００６１】
上記において、下記の表１を参照して最も大きいＲＳＳＩ（−４０ｄＢｍ）を送信する照明装置が主画面に出力され、その他のＲＳＳＩを送信する照明装置は副画面に出力されるように設定できる。また、予め定めた大きさ以上のＲＳＳＩを送信した照明装置が制御装置に出力されるように設定することもできる。しかしながら、本発明はこれに限定されるものではなく、たとえ微弱なＲＳＳＩを送信した照明装置であっても、制御装置に出力されるように設定できる。
【００６２】
上記のような動作は、照明装置から受信されるＲＳＳＩに応じて、制御される照明装置のスイッチアプリケーションが照明制御装置の表示部に出力される。
【００６３】
上記において照明制御装置の制御部の制御によって制御される照明装置のスイッチアプリケーションが照明制御装置の表示部に出力される。
【００６４】
スイッチアプリケーションによって、図４又は図８のような制御情報を含むＵＩを出力することができる。
【００６５】
照明装置から受信されるＲＳＳＩと、それに対応して下記の表１のように記憶された照明装置の色温度及び／又は明るさ情報とによって、制御部が自動制御するか、又はユーザが手動制御する。
【００６６】
すなわち、ＷｉＦｉ、ＺｉｇＢｅｅ（登録商標）又はＢｌｕｅｔｏｏｔｈ（登録商標）などのような無線通信技術が照明装置内にアンテナを含む小型化モジュールとして搭載されているとき、無線信号を収容する目標装置又は主装置（例えば、照明制御装置）で受信されるＲＳＳＩが距離に応じて変わる特徴を利用して、照明装置が自動的にオンになるか、又は照明装置の明るさ／色温度情報などが少なくとも一つ以上自動／手動制御される感性照明制御の具現が可能である。したがって、ＲＳＳＩに応じて照明装置の明るさ／色温度がユーザの好みによって制御されるように設定できる。
【００６７】
【表１】
2014225471.tif 000003
【００６８】
また、実施形態では、照明装置から受信されるＲＳＳＩに応じて、照明制御装置の制御部が照明装置を自動的にオン／オフできる。
【００６９】
例えば、表１を参照すると、予め定めたＲＳＳＩ以上である場合（−８０ｄＢｍ）には、照明装置がオンになるように制御し、以下である場合（−１００ｄＢｍ）には、照明装置がオフになるように制御できる。
【００７０】
また、表１に示したように、ＲＳＳＩが次第に増加される場合には、それに対応して色温度及び／又は明るさが次第に増加されるように制御でき、これと反対に、ＲＳＳＩが次第に小さくなる場合には、色温度及び／又は明るさが次第に減少するように制御することもできる。
【００７１】
図２Ｂは、照明装置の構成を示したブロック図である。
【００７２】
図２Ｂに示したように、照明装置１１１は、次の構成を備える。
【００７３】
電源部２１３と、ＷｉＦｉ、ＺｉｇＢｅｅ（登録商標）又はＢｌｕｅｔｏｏｔｈ（登録商標）通信のためのモジュールを備え、照明制御装置１０１と、信号を送／受信する通信部２１５と、制御される照明制御情報、動作プログラム及び／又は照明制御装置に対する識別情報が記憶されている記憶部２１４と、照明装置を制御する制御部２１７とを備えて動作する。
【００７４】
本発明の実施形態において、照明制御装置１０１は、ＺｉｇＢｅｅ（登録商標）、Ｂｌｕｅｔｏｏｔｈ（登録商標）、ＷｉＦｉなどの通信方式を使用する携帯電話を含むスマートホン等の無線制御装置であり、照明装置も上記に対応する通信方式を使用し、ＬＥＤ灯、蛍光灯、白熱灯、ハロゲン灯のすべての照明装置を含んで動作する。
【００７５】
照明装置の通信部での出力信号によって、照明制御装置では、ＲＳＳＩを測定しそれによって照明装置を制御できる。
【００７６】
図３は、照明装置からのＲＳＳＩ受信と、それによって照明制御装置が照明装置を制御することを示した図である。
【００７７】
図３に示したように、照明制御装置１０１及び一つ以上の照明装置３０２、３０３、３０４を備える照明装置部１１１の電源がオンになる状態で、照明制御装置の一つの実施形態であるスマートホンの動作モードとして、照明装置を制御する制御モードを選択する。
【００７８】
それによって、照明装置から信号を受信し、受信されたＲＳＳＩを制御部（図２ａの２０２）で比較又は確認して、本発明の実施形態による次のような制御動作を少なくとも一つ以上行う。
【００７９】
１）受信ＲＳＳＩによる各照明装置の明るさ及び／又は色温度を制御する。
２）受信ＲＳＳＩによる近い距離の照明装置のためのスイッチアプリケーションが動作されて、ＵＩが表示され、それによって制御する。
３）受信ＲＳＳＩに応じて照明装置をオン／オフ制御又は明るさ及び／又は色温度のレベルが次第に高くなるか、又は低くなる。
【００８０】
図４は、照明制御装置１０１のユーザインタフェース（ＵＩ）を示した図である。
【００８１】
図４は、照明装置の色温度４０１及び明るさ４０３のうち、少なくとも一つを制御できるＵＩ４００の一つの例である。
【００８２】
ＵＩに出力される色温度及び／又は明るさはユーザが手動で制御でき、また照明装置から受信されるＲＳＳＩに応じて、表１のように予め設定された状態に自動的に制御することもできる。
【００８３】
図５Ａ、図５Ｂ及び図５Ｃは、受信されるＲＳＳＩが照明装置１１１と照明制御装置１０１との距離に対応して変わることを示す実施形態の図である。
【００８４】
図示のように、図５Ａ−＞図５Ｂ−＞図５Ｃの順に受信ＲＳＳＩ５０１、５０２、５０３が増加することが分かる。
【００８５】
すなわち、図５Ａ、図５Ｂ及び図５Ｃのうち、図５Ａの照明装置１１１と照明制御装置１０１との距離が最も遠く、図５Ｃが最も近接した状態である。したがって、距離に対応してＲＳＳＩが変わることが分かる。
【００８６】
図６は、受信ＲＳＳＩによる近い距離の照明装置１１９のスイッチアプリケーションによるＵＩが照明制御装置１０１に表示され、それによって色温度及び／又は明るさレベルなどが制御可能なことを示した図である。
【００８７】
図６に示したように、照明制御装置を有したユーザが照明装置の設置されている左側へ移動する場合、照明制御装置に受信されるＲＳＳＩ信号強度のうち信号強度が最も大きい近い距離の照明装置１１９に対したＵＩがスイッチアプリケーション動作によって照明制御装置１０１に表示され、それによって色温度及び／又は明るさレベルなどを手動／自動制御が可能である。
【００８８】
本発明の実施形態又は説明における手動制御とは、ユーザによる制御を意味し、自動制御とは、表１のように設定、記憶された情報によって制御部によって自動制御されることを意味する。
【００８９】
図７は、複数の照明装置１１２、１１３、１１４、１１５、１１６、１１７が設置され、又は動作中である場所において、ＲＳＳＩが予め定めた大きさ以上の照明装置だけのスイッチアプリケーション（ＵＩ）が図４のように照明制御装置１０１に出力されるようにして、制御の利便性を具現できる。
【００９０】
また、設定に応じて予め定めたＲＳＳＩ信号強度以上の照明装置が自動的にオンになるか、又はＲＳＳＩに応じて照明装置の明るさ及び／又は色温度が変化することを示した図である。
【００９１】
図７に示したように、該当領域内に存在する最小個数（１個以上の照明装置１１５、１１６）のスイッチアプリケーションが制御装置１０１に出力されて、ユーザにとって制御の利便性を高めることができる。一方、照明制御装置１０１を有したユーザが移動する場合、ＲＳＳＩに応じて他の照明装置に対するスイッチアプリケーションが出力され、また色温度／明るさが制御される。
【００９２】
また、表１の設定情報によって予め定めたＲＳＳＩ以上の照明装置が自動的にオンになり、又は強度に応じて照明装置の明るさ及び／又は色温度が変化するようにする感性照明制御が可能である。
【００９３】
また、照明制御装置を有したユーザが照明装置のある所に入室する場合、照明装置が自動的にオンになり、照明装置に近づくか、又は遠ざかる場合に、予め定めたＲＳＳＩに応じて明るさ／色温度のレベルが高くなるか、又は低くなるようにする感性照明制御が可能である。
【００９４】
図８は、一つ以上の制御される照明装置の照明制御情報８０１、８０２、８０３、８０４が照明制御装置のスイッチアプリケーションによるＵＩに出力されることを示した図である。
【００９５】
図８に示したように、照明制御装置１０１には、照明装置から受信されるＲＳＳＩを制御部で比較した結果、受信信号の強度が最も大きい照明装置だけを制御するための照明制御情報が現れるＵＩ８０１が出力されることが一般的である。
【００９６】
しかし、これに限定されずに、図８に示したように、予め定めた大きさ以上のＲＳＳＩ照明装置に対する照明制御情報の表すＵＩ８０２、８０３、８０４を副画面として共に出力することもできる。
【００９７】
したがって、ユーザが手動制御するか、又は制御部の制御によって自動制御されるようにすることができる。
【００９８】
図９は、受信されたＲＳＳＩに応じて照明装置が制御されることを示した図である。
【００９９】
図３及び図９に示したように、照明制御装置１０１及び各照明装置１１１の電源がオンになる。（Ｓ９０１）。
【０１００】
照明制御装置１０１の機能のうち照明装置を制御する制御モードが選択される。（Ｓ９０２）。
【０１０１】
各照明装置から受信されたＲＳＳＩが制御部によって確認される。（Ｓ９０３）。
【０１０２】
受信されたＲＳＳＩとそれに対応して記憶された照明装置の制御情報（色温度／明るさ）とを確認、及びそれによって表１のように制御することができる。（Ｓ９０４）。
【０１０３】
すなわち、確認された結果によって、照明装置の色温度及び明るさのうち、少なくとも一つが制御される。
【０１０４】
又は、照明装置から受信されたＲＳＳＩの大きさによって制御される近い距離の照明装置に対するスイッチアプリケーションが動作して、ＵＩが照明制御装置の表示部に出力され、それによって制御することができる（Ｓ９０５）。
【０１０５】
又は、照明装置からＲＳＳＩが受信される場合、受信信号の強度に応じて照明装置がオン又はオフになるように制御することができる。（Ｓ９０６）。
【０１０６】
例えば、予め定めたＲＳＳＩの大きさ以上である照明装置がオンになるように制御されるか、又は照明装置からのＲＳＳＩが予め定めた大きさ以下の場合、又は受信されない場合には、照明装置がオフになるように制御される。また、ＲＳＳＩによる照明装置の色温度／明るさレベルが次第に増加又は減少するように制御することもできる。
【０１０７】
図１０は、照明装置を制御する照明制御装置１０１に予め設定した照明モードが表示されるＵＩ１００１画面を示す実施形態の図である。
【０１０８】
図１０に示したように、照明制御情報は、少なくとも色温度１００３及び／又は明るさ１００５を含み、それぞれの現在値を、表示部１００４、１００６を介して表し、複数の照明モード１００７、１００７ａ〜１００７ｅがアイコンの形態で設定されて表示される。
【０１０９】
色温度１００３及び／又は明るさ１００５に対したそれぞれの現在値を表す表示部のスクロールバー１００４、１００６を左右に動かして、各照明モード別に設定された色温度及び／又は明るさをユーザの好みに応じて変更／制御できる。
【０１１０】
一つの例として、各照明モード別に設定された照明制御情報は、次のとおりである。
【０１１１】
【表２】
2014225471.tif 000004
【０１１２】
上記のように設定された各照明モード、照明制御情報値及びそれに対応する各アイコン１００７ａ〜１００７ｅにおいて、初めて照明制御モードで実行されるときのデフォルト値は、一般（Ｇｅｎｅｒａｌ）モードである４０００Ｋ、１００％発光に設定されている。しかしながら、これに限定されずに、他の値又は他のモードで動作するように変更できる。
【０１１３】
また、他の照明モードのためのアイコンを押さえる場合、それによって設定された照明制御情報値で動作し、その選択されたアイコンはアクティブになる。
【０１１４】
また、スクロールバー１００４、１００６を制御して所望の他の色温度や明るさで制御でき、そのような場合、アクティブ状態のアイコンは、非アクティブになった状態になる。
【０１１５】
しかしながら、これは設定によって続いてアクティブ状態に表すように設定できる。
【０１１６】
図１０は、初めて照明制御モードが実行されるときのデフォルト値（色温度４０００Ｋ及び明るさ１００％の状態で発光）に設定されて動作することを示した図である。
【０１１７】
図示のように、ユーザが照明制御装置で照明制御モードを選択する場合、一般アイコン１００７ｅがアクティブになり、色温度及び明るさが設定された値（色温度４０００Ｋ及び明るさ１００％）で動作する。
【０１１８】
図１１は、予め設定した照明モードのうち、「歓迎（Ｗｅｌｃｏｍｅ）」モードが選択された場合における色温度／明るさが表現されるＵＩ画面である。
【０１１９】
図１１に示したように、色温度が変化（２７００Ｋ−＞６５００Ｋ）することが分かる。もちろん、明るさも変化するように設定することができる。
【０１２０】
図１１は、ユーザが照明制御モードのうち、歓迎アイコン１００７ａを選択した場合、歓迎アイコンがアクティブになり、色温度は、２７００Ｋに設定された後に６５００Ｋになるまで順次変化する。
【０１２１】
色温度は、他の値に設定することもできる。
【０１２２】
図１２は、予め設定した照明モードのうち「活動（Ｅｎｅｒｇｙ）」モードが選択された場合における色温度／明るさが表現されるＵＩ画面である。
【０１２３】
図１２の色温度／明るさは、表２に示したように、予め設定されていることが通常である。
【０１２４】
図１２において、ユーザが照明制御モードのうち、活動アイコン１００７ｂを選択した場合、活動アイコンがアクティブになり、予め設定された照明制御情報（色温度６５００Ｋ、明るさ８０％）で動作する。
【０１２５】
図１３は、予め設定した照明モードのうち「集中（Ｆｏｃｕｓ）」モードが選択された場合における色温度／明るさが表現されるＵＩ画面である。
【０１２６】
図１３において、ユーザが照明制御モードのうち、集中アイコン１００７ｃを選択した場合、集中アイコンがアクティブになり、予め設定された照明制御情報（色温度５７００Ｋ、明るさ１００％）で動作する。
【０１２７】
図１４は、予め設定した照明モードのうち「くつろぎ（Ｒｅｌａｘ）」モードが選択された場合における色温度／明るさが調節された状態を示すＵＩ画面である。
【０１２８】
図１４において、ユーザが照明制御モードのうち、Ｒｅｌａｘアイコン１００７ｄを選択した場合に、くつろぎアイコンがアクティブになり、予め設定された照明制御情報（色温度２７００Ｋ、明るさ７０％）で動作する。
【０１２９】
以後、図１４に示したように、ユーザの制御によってくつろぎモードでの色温度２７００Ｋは、１５００Ｋにレベル変更され、明るさは７０％から５０％にレベル変更される。それによってアクティブ状態であったくつろぎアイコンが非アクティブ状態に変更される。
【０１３０】
図１５は、各々の照明モードをＵＩ画面で示し、ユーザの選択に応じて照明モードを選択し制御することを示すフローチャートである。
【０１３１】
図１５及び表２に示したように、照明制御情報である色温度及び／又は明るさのうち、少なくとも一つの情報による複数の照明モードが設定されて照明制御装置１０１／照明装置１１１の記憶部２０４、２１４にそれぞれ記憶される（Ｓ１５０１）。
【０１３２】
照明制御装置の入力部２０６を介して照明制御モードが選択される（Ｓ１５０２）。
【０１３３】
予め設定された照明モードがＵＩ画面に表示され、図１０のようにデフォルトで設定された照明制御情報によって照明装置が制御される。（Ｓ１５０３、Ｓ１５０４）。
【０１３４】
以後、表示される照明モードのうち出力されるモードがユーザによって選択され、それに対応する図１１〜図１４に示した色温度及び明るさによって照明装置が出力される（Ｓ１５０５、Ｓ１５０６）。
【０１３５】
一方、上記のように設定されて出力される状態において、照明制御情報値を、スクロールバーを動かすか、又は他のモードを選択することによって照明制御情報値を変更させて動作させることができる（Ｓ１５０７、Ｓ１５０８、Ｓ１５１０、Ｓ１５１１）。
【０１３６】
照明制御情報の変更によって、アクティブになっていた照明制御モードのアイコン（Ｉｃｏｎ）は、非アクティブに変更される（Ｓ１５０９）。
【０１３７】
照明制御情報の変更は、表示されている色温度及び明るさの現在状態を示す手段（例えば、スクロールバー、カーソル等）を制御することによって可能である。
【０１３８】
上記においてスクロールバーの移動、又は他の照明モードを選択することによって、アクティブになっていた照明モードのアイコンが非アクティブになり、新しく選択された照明モードのアイコンはアクティブになる。
【０１３９】
本実施形態の技術的思想は、上述した実施形態及び添付された図面によって限定されるものではなく、添付された請求の範囲によって解析される。
【０１４０】
したがって、請求の範囲に記載された本発明の技術的思想から逸脱しない範囲内で多様な形態の置換、変形及び変更が可能であることは、当技術分野における通常の知識を有した者にとっては明らかであり、これもまた添付された請求の範囲に記載された技術的思想に属する。
【符号の説明】
【０１４１】
１０１    照明制御装置
１１１、１１２、１１３、１１４、１１５、１１６、１１７、１１９、３０２、３０３、３０４    照明装置
１２１    主装置
１２２    電源スイッチ
２０２、２１７    制御部
２０３、２１３    電源部
２０４、２１４    記憶部
２０５、２１５    通信部
２０６    入力部
２０７    表示部
４００、８０１、８０２、８０３、８０４、１００１    ユーザインタフェース
４０１、１００３    色温度
４０３、１００５    明るさ
５０１、５０２、５０３    受信ＲＳＳＩ
１００４、１００６    スクロールバー
１００７、１００７ａ〜１００７ｅ    照明モード
【図１】
2014225471.tif 000005
【図２Ａ】
2014225471.tif 000006
【図２Ｂ】
2014225471.tif 000007
【図３】
2014225471.tif 000008
【図４】
2014225471.tif 000009
【図５Ａ】
2014225471.tif 000010
【図５Ｂ】
2014225471.tif 000011
【図５Ｃ】
2014225471.tif 000012
【図６】
2014225471.tif 000013
【図７】
2014225471.tif 000014
【図８】
2014225471.tif 000015
【図９】
2014225471.tif 000016
【図１０】
2014225471.tif 000017
【図１１】
2014225471.tif 000018
【図１２】
2014225471.tif 000019
【図１３】
2014225471.tif 000020
【図１４】
2014225471.tif 000021
【図１５】
2014225471.tif 000022
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
照明装置と、
前記照明装置の制御のための照明制御装置のタッチスクリーンの上に表示されるグラヒックユーザインタフェースとを含み、
前記グラヒックユーザインタフェースは、
少なくとも二つ以上の照明制御モードを含むメニューを表示する第１表示領域と、
前記照明装置の色温度及び明度の少なくとも一つの現在の設定値を表示する第２表示領域とを含み、
前記少なくとも二つ以上の照明制御モードには、それぞれ制御情報が既設定されており、
前記制御情報は、前記照明装置の色温度及び明度の少なくとも一つを含み、
前記第２表示領域は、ユーザが手動で前記照明装置の色温度及び明度の少なくとも一つの現在の設定値を変更できるようにする、照明制御システム。
【請求項２】
前記第１表示領域に表示されたメニューは、それぞれの照明制御モードに対応するアイコン及びテキストを含む、請求項１に記載の照明制御システム。
【請求項３】
前記照明制御装置は、スマートホンであり、
前記グラヒックユーザインタフェースは、前記スマートホンで提供するアプリケーションソフトウェア中の一つである、請求項１又は２に記載の照明制御システム。
【請求項４】
前記照明装置の色温度及び明度の少なくとも一つの現在の設定値は、前記第２表示領域内で少なくとも一つのスクロールバーの上に表示される、請求項１〜３のいずれか一項に記載の照明制御システム。
【請求項５】
前記照明装置の明度に対する現在の設定値は、前記第２表示領域内でスクロールバーの上に表示される、請求項１〜４のいずれか一項に記載の照明制御システム。
【請求項６】
前記少なくとも二つ以上の照明制御モードは、くつろぎモード、集中モード及び活動モードを含む、請求項１〜５のいずれか一項に記載の照明制御システム。
【請求項７】
前記活動モードにおける前記照明装置の色温度は６５００Ｋである、請求項６に記載の照明制御システム。
【請求項８】
前記活動モードにおける照明装置の色温度は、前記集中モードにおける照明装置の色温度より高く、
前記集中モードにおける照明装置の色温度は、前記くつろぎモードにおける照明装置の色温度より高い、請求項６又は７に記載の照明制御システム。
【請求項９】
前記照明装置は三つのＬＥＤ照明装置を含む、請求項１〜８のいずれか一項に記載の照明制御システム。
【請求項１０】
前記グラヒックユーザインタフェースは、前記照明装置との無線通信を通じて、ユーザが前記照明装置の色温度及び明度の少なくとも一つの現在の設定値を変更できるようにする、請求項１〜９のいずれか一項に記載の照明制御システム。
【請求項１１】
前記少なくとも二つ以上の照明制御モードにおいて特定照明制御モードが選択されると、前記第２表示領域上に前記選択された照明制御モードに対応する制御情報を表示し、前記第１表示領域のメニュー上で前記選択された照明制御モードがハイライトされるようにする、請求項１〜１０のいずれか一項に記載の照明制御システム。
【請求項１２】
前記照明装置は、通信部、制御部と、記憶部と、電源部とを含む、請求項１〜１１のいずれか一項に記載の照明制御システム。
【請求項１３】
照明制御装置にグラヒックユーザインタフェース及び少なくとも二つ以上の照明制御モードを記憶させるステップと、
前記グラヒックユーザインタフェースに基づいて調整情報を提供して、照明装置の色温度及び明度の少なくとも一つを調整するステップと、
前記グラヒックユーザインタフェース上に前記照明装置の色温度及び明度の少なくとも一つの現在の設定値を表示するステップと、
前記グラヒックユーザインタフェースから提供された調整情報に応じて前記照明装置を制御するステップと、を含む、照明制御方法であって、
前記少なくとも二つ以上の照明制御モードには、それぞれ制御情報が既設定されており、
前記制御情報は、前記照明装置の色温度及び明度の少なくとも一つを含み、
前記グラヒックユーザインタフェースは、
前記少なくとも二つ以上の照明制御モードを含むメニューを表示する第１表示領域と、
前記照明装置の色温度及び明度の少なくとも一つの現在の設定値を表示する第２表示領域と、を含み、
前記第２表示領域は、前記調整情報が入力されるようにして、ユーザが手動で前記照明装置の色温度及び明度の少なくとも一つの現在の設定値を変更できるようにする、照明制御方法。
【請求項１４】
前記第１表示領域に表示されたメニューは、それぞれの照明制御モードに対応するアイコン及びテキストを含む、請求項１３に記載の照明制御方法。
【請求項１５】
前記照明制御装置はスマートホンであり、
前記グラヒックユーザインタフェースは、前記スマートホンで提供するアプリケーションソフトウェア中の一つである、請求項１３又は１４に記載の照明制御方法。
【請求項１６】
前記照明装置の色温度及び明度の少なくとも一つの現在の設定値は、前記第２表示領域内で少なくとも一つのスクロールバーの上に表示される、請求項１３〜１５のいずれか一項に記載の照明制御方法。
【請求項１７】
前記照明装置の明度に対する現在の設定値は、前記第２表示領域内でスクロールバーの上に表示される、請求項１３〜１６のいずれか一項に記載の照明制御方法。
【請求項１８】
前記少なくとも二つ以上の照明制御モードは、くつろぎモード、集中モード及び活動モードを含む、請求項１３〜１７のいずれか一項に記載の照明制御方法。
【請求項１９】
前記活動モードにおける前記照明装置の色温度は６５００Ｋである、請求項１８に記載の照明制御方法。
【請求項２０】
前記活動モードにおける照明装置の色温度は、前記集中モードにおける照明装置の色温度より高く、
前記集中モードにおける照明装置の色温度は、前記くつろぎモードにおける照明装置の色温度より高い、請求項１８又は１９に記載の照明制御方法。
【請求項２１】
前記照明装置は三つのＬＥＤ照明装置を含む、請求項１３〜２０のいずれか一項に記載の照明制御方法。
【請求項２２】
前記グラヒックユーザインタフェースは、前記照明装置との無線通信を通じて、ユーザが前記照明装置の色温度及び明度の少なくとも一つの現在の設定値を変更できるようにする、請求項１３〜２１のいずれか一項に記載の照明制御方法。
【請求項２３】
前記少なくとも二つ以上の照明制御モードにおいて特定照明制御モードが選択されると、前記第２表示領域上に前記選択された照明制御モードに対応する制御情報を表示し、前記第１表示領域のメニュー上で前記選択された照明制御モードがハイライトされるようにする、請求項１３〜２２のいずれか一項に記載の照明制御方法。